(57)【要約】【課題】木造建築物の耐震補強構造において、簡単に工事により、外観を維持しつつ、耐震強度を向上させること目的としている。【解決手段】間隔をおいて配置された一対の柱１間にパネル１０を嵌め込むと共に、両柱１の互いに対向する面１ａに、柱長さに沿って縦桟木７を固着し、該縦桟木７に前記パネル１０を固着する。前記各柱１の上下方向幅の途中部分に、両柱１間に亘る通しの補強ボルト２０を略水平に架設し、該補強ボルト２０の張力により、両柱１を互いに近づける方向に引っ張り、前記パネルの両側端に押し付けている。【選択図】図１
2008075375.tif 000002
【特許請求の範囲】
【請求項１】
間隔をおいて配置された一対の柱間にパネルを嵌め込むと共に、両柱の互いに対向する面に、柱長さに沿って縦桟木を固着し、該縦桟木に前記パネルを固着し、
前記各柱の上下方向幅の途中部分に、両柱間に亘る通しの補強ボルトを略水平に架設し、該補強ボルトの張力により、両柱を互いに近づける方向に引っ張り、前記パネルの両側端に押し付けていることを特徴とする木造建築物の耐震補強構造。
【請求項２】
請求項１記載の木造建築物の耐震補強構造において、
前記柱の上部同士並びに下部同士を結合する横架材の内側に横桟木を固着し、前記パネルの上下端部を、それぞれ前記横桟木に固着していることを特徴とする木造建築物の耐震補強構造。
【請求項３】
請求項１又は２記載の木造建築物の耐震補強構造において、
前記各柱の上下方向幅の途中部分に、両柱間に亘る横向きの窓枠を上下一対架設し、上側窓枠の上側及び下側窓枠の下側に沿って、前記通しの補強ボルトを架設していることを特徴とする木造建築物の耐震補強構造。
【請求項４】
請求項２又は３記載の木造建築物の耐震補強構造において、
前記下側の横架材は、コンクリート基礎の上に設置された土台であり、上側の横架材は、天井梁又は胴差しであることを特徴とする木造建築物の耐震補強構造。
【請求項５】
請求項２又は３記載の木造建築物の耐震補強構造において、
前記下側の横架材は、コンクリート基礎上の土台より上方に配置された敷居又は床梁であり、上側の横架材は、天井梁又は胴差しより下方に配置された鴨居であることを特徴とする木造建築物の耐震補強構造。
【請求項６】
請求項３記載の木造建築物の耐震補強構造において、
前記両柱間に亘る前記通し補強ボルトを備える代わりに、前記窓枠に沿って配置された前記横桟木の両端部を、羽子板ボルトにより前記柱に締結していることを特徴とする木造建築物の耐震補強構造。
【発明の詳細な説明】
【技術分野】
【０００１】
本発明は木造建築物の耐震補強構造に関し、特に柱及び壁の耐震補強構造に関する。
【背景技術】
【０００２】
木造建築物の耐震補強構造として、一般的には、一対の柱と上下一対の横架材とで形成される構造枠体の領域内に、筋交いを架設した構造（従来例１，特許文献１）がある。その他に、図２２に示すように、一対の柱１０１間に前後一対のパネル１０２を架設し、釘１０３により柱１０１の前後両面に前後のパネル１０２の端部を固着した構造（従来例２）がある。また、パネルを利用した別の従来例（従来例３）として、図２３に示すように、一対の柱１０１間にパネル１１０を嵌め込むと共に、両柱１０１の互いに対向する面に、柱長さに沿って縦桟木１１１を釘１１２により固着し、該縦桟木１１２のたとえば後面（又は前面）に前記パネル１１０を、釘１１３によりを固着した構造がある。
【特許文献１】特開２００３ー２３２１３３号公報。
【発明の開示】
【発明が解決しようとする課題】
【０００３】
従来例１のように、筋交いを架設する構造では、筋交いの端部を三角ブラケット等により構造枠体の隅部に固着しているため、取付作業に手間がかかると共に、部品点数が増加する。図２２の従来例２のように、柱１０１の前後両面にパネル１０２を釘打ちする構造では、パネル１０２の取付作業は簡単であるが、釘１０３の頭部が外部に露出するため、パネル１０２に壁紙を綺麗に貼ることが難しく、外観に問題が残り、しかも、釘の腐食による耐久性を考慮すると、多数の釘を狭い間隔で打つ付ける必要がある。また、図２３の従来例３のように、柱１０１間にパネル１１０を嵌め込み、桟木１１１に釘１１３により固着する構造では、柱の前後に貼着する化粧板１１５により桟木１１２及び釘１１３等が外部から隠されるので、従来例２に比べて外観及び耐久性は向上するが、大きな強度の地震に対しては、横揺れの際、柱１０１とパネル１１０の側端縁とが剥離する恐れがある。
【０００４】
本発明の目的は、柱間にパネルを嵌め込む木造建築物の耐震補強構造において、簡単なボルトの取付工事により、柱間の耐震強度を向上させることができる耐震補強構造を提供することである。
【課題を解決するための手段】
【０００５】
上記課題を解決するため、本願請求項１記載の発明は、間隔をおいて配置された一対の柱間にパネルを嵌め込むと共に、両柱の互いに対向する面に、柱長さに沿って縦桟木を固着し、該縦桟木に前記パネルを固着し、前記各柱の上下方向幅の途中部分に、両柱間に亘る通しの補強ボルトを略水平に架設し、該補強ボルトの張力により、両柱を互いに近づける方向に引っ張り、前記パネルの両側端に押し付けている。
【０００６】
上記構成によると、柱の上下方向幅の途中部分に、通しの補強ボルトを張設しているので、地震の横揺れの際にも、柱からパネルが剥離（離脱）する恐れがなく、耐震強度が向上する。また、通し補強ボルトは、従来の筋交いに比べると、簡単な工事で取り付けることができる。
【０００７】
さらに、柱間に嵌め込まれたパネル及び両柱間に張設された補強ボルトは、たとえば柱の前後両面に取り付けられる化粧板により外部から隠すことができ、これにより良好な外観を保てると共に、釘の腐食による耐久性低下を防ぐことができる。
【０００８】
請求項２記載の発明は、請求項１記載の木造建築物の耐震補強構造において、前記柱の上部同士並びに下部同士を結合する横架材の内側に横桟木を固着し、前記パネルの上下端部を、それぞれ前記横桟木に固着している。
【０００９】
上記構成によると、耐震強度をさらに向上させることができる。
【００１０】
請求項３記載の発明は、請求項１又は２記載の木造建築物の耐震補強構造において、前記各柱の上下方向幅の途中部分に、両柱間に亘る横向きの窓枠を上下一対架設し、上側窓枠の上側及び下側窓枠の下側に沿って、前記通しの補強ボルトを架設している。
【００１１】
上記構成によると、柱間に窓を有する構造においても、通しの補強ボルトを架設するだけの簡単な工事により、耐震強度を向上させることができる・
【００１２】
請求項４記載の発明は、請求項２又は３記載の木造建築物の耐震補強構造において、前記下側の横架材は、コンクリート基礎の上に設置された土台であり、上側の横架材は、天井梁又は胴差しである。
【００１３】
上記構成によると、新築の木造建築物において、柱全体として、より高い耐震強度を維持することができる。
【００１４】
請求項５記載の発明は、請求項２又は３記載の木造建築物の耐震補強構造において、前記下側の横架材は、コンクリート基礎上の土台より上方に配置された敷居又は床梁であり、上側の横架材は、天井梁又は胴差しより下方に配置された鴨居である。
【００１５】
上記構成によると、新築の木造建築物だけでなく、既存の木造建築物に対しても、天井板や床板を剥がすことなく、通し補強ボルトを架設することができ、既存の木造建築物の補強に適している。
【００１６】
請求項６記載の発明は、請求項３記載の木造建築物の耐震補強構造において、前記両柱間に亘る前記補強ボルトを備える代わりに、前記窓枠に沿って配置された前記横桟木の両端部を、羽子板ボルトにより前記柱に締結している。
【００１７】
上記構成によると、窓枠に沿って柱間に架設された横桟木と、横桟木と柱を結合する羽子板ボルトとを、前記長い補強ボルトの代わりに利用するので、通しの補強ボルトの場合と同様の耐震性を維持しながらも、長いボルトが不要となり、取付作業が容易になる。
【発明を実施するための最良の形態】
【００１８】
［第１の実施の形態］
図１及び図２は、本発明にかかる耐震補強構造を備えた木造建築物の構造枠体の第１の実施の形態であり、図１は構造枠体の正面図、図２は図１のII-II断面拡大図である。なお、説明の都合上、図１の紙面の左右を構造枠体の左右とし、図１の紙面の表側と裏側を、構造枠体の前側と後側として、以下説明する。図１において、基礎コンクリート２の上面に水平な木製の土台３が敷設され、該土台３上に、左右一対の柱１が左右に所定間隔（約９００ｍｍの間隔）をおいて立設されている。両柱１の上端部同士は、水平な胴差し（又は天井梁）４により結合されている。柱１と土台３とは、たとえば溝と孔の継手構造並びに三角形状の固定金具等により締結され、柱１と胴差し４とは、溝と孔の継手構造並びに三角形状の固定金具等により締結されている。
【００１９】
両柱１と胴差し４と土台３とで囲まれた長方形状の領域Ｓ１内に、該領域Ｓ１と同じ形状に形成された前後一対の木製のパネル１０が嵌め込まれている。
【００２０】
上記領域Ｓ１の周囲には、左右一対の縦桟木７と、上下一対の横桟木８，９とがそれぞれ配置され、左右の柱１の中間部には中間縦桟木１７が配置され、上下の横桟木８，９の途中部分には、上下一対の中間横桟木１８がそれぞれ配置されている。縦桟木７及び横桟木，８，９は、柱１，胴差し４及び土台３に、図２に示すように、複数の釘１５により固着されている。すなわち、両柱１の互いに対向する内面１ａに、上下方向に延びる縦桟木７が釘１５により固着され、図１の胴差し４の下面に、水平に延びる上側横桟木８が釘により固着され、土台３の上面に、水平に延びる下側横桟木９が釘により固着されている。前記領域Ｓ１内に嵌め込まれたパネル１０は、その外周端部が、左右一対の縦桟木７及び上下一対の横桟木８，９の前後両面に、多数の釘１１により固着されている。また、中間縦桟木１７及び中間横桟木１８は、それぞれ釘１１によりパネル１０に固着されている。
【００２１】
そして上記パネル１０に加え、構造枠体の補強部品として、柱１の上下方向幅を略三等分する箇所に、上下一対の水平な通しの補強ボルト２０が柱１間に架設されている。上下の補強ボルト２０は、該実施の形態では、上側の中間横桟木１８の下面と、下側の中間横桟木１８の上面に沿って、それぞれ配設されている。
【００２２】
図２において、各柱１には、それぞれ左右方向に貫通するボルト挿通孔２５及び座ぐり２６が形成されており、前記補強ボルト２０は、一方の柱１のボルト挿通孔２５から挿通され、両柱１間を水平に通過し、他方の柱１のボルト挿通孔２５に挿通され、先端ねじ部にナット２１が螺着されている。ナット２１を締め付けることにより、ボルト２０の頭部２０ａとナット２１の間で、図１に示すように両柱１を互いに近づける方向（矢印Ｈ方向）に引っ張り、各柱１の内面１ａをパネル１０の左右の側端縁に押し付けている。
【００２３】
柱１の前後両面には、図２の仮想線で示すように、壁紙等が貼付される化粧板３０が配置され、釘あるいは接着剤により、柱１に固着されている。これらの化粧板３０により、柱１間のパネル１０及び上下２本の補強ボルト２０は外部から隠される。
【００２４】
上記構成によると、両柱１は、上下方向幅の途中２箇所が、両柱１間に亘る補強ボルト２０により、互いに近づく方向Ｈに引っ張られ、パネル１０の左右側端縁に柱１の内面１ａが常時圧接されているので、地震時の横揺れにより、柱１と胴差し４と土台３とからなる構造枠体が平行四辺形状に傾いても、パネル１０の左右側端縁は、左右の柱１の内面１ａから剥離することはなく、強い横揺れでも倒壊する恐れがない。
【００２５】
また、補強ボルト２０は、一方の柱１の左右の一方側から挿入し、他方の柱１の左右の他方側においてナット２１を螺着するので、筋交い等を用いた従来の補強工事に比べると、取付工事が簡単である。さらに、補強ボルト２０、桟木７，８，９及びそれらの取付用の釘１１等は、仕上げ用の化粧板３０により外部から隠されるので、良好な外観を維持することもできる。
【００２６】
［第１の実施の形態の変形例］
図３〜図５は、それぞれ第１の実施の形態の変形例を示しており、図２と同じ箇所の断面図であり、図１及び図２と同じ部品には同じ符号を付している。図３の変形例は、縦桟木７等の後面に、パネル１０を固着せず、後側の化粧板３０を釘１６により直接固着した構造である。図４の変形例は、図２と同様に前後二枚のパネル板１０を備えた構造において、各柱１に、補強ボルト２０の頭部２０ａ及びナット２１用の座繰りを形成していない構造である。図５の変形例は、図３と同様に、縦桟木７等の後面に化粧板３０を直接固着した構造において、補強ボルト２０の頭部２０ａ及びナット２１用の座繰りを形成していない例である。
【００２７】
［第２の実施の形態］
図６及び図７は本発明の第２の実施の形態であり、図６は正面図、図７は図６のVII-VII断面図である。該第２の実施の形態は、中間縦桟木を備えていない構造であり、その他の構造は、第１の実施の形態の図１及び図２の構造と同じであり、第１の実施の形態と同じ部品には同じ符号を付してある。
【００２８】
［第２の実施の形態の変形例］
図８は第２の実施の形態の変形例を示しており、図７と同じ箇所の断面図である。図６及び図７と同じ部品には、同じ符号を付している。図８の変形例は、縦桟木７等の後面に、パネル１０を固着していない構造である。
【００２９】
［第３の実施の形態の変形例］
図９は第３の実施の形態であり、左右の柱１間の中間部に一本の中間縦桟木１７を備えると共に、上下の横桟木８，９間の中間部に、一本の中間横桟木１８と一本の補強ボルト２０を架設した構造である。その他の構造は、第１の実施の形態の図１及び図２の構造と同じであり、第１の実施の形態と同じ部品には同じ符号を付してある。
【００３０】
［第４の実施の形態の変形例］
図１０は第４の実施の形態であり、上下横桟木８，９間の中間部に一本の中間横桟木１８と一本の補強ボルト２０を架設しているが、左右の柱１間に中間の縦桟木を設けていない構造である。その他の構造は、第１の実施の形態の図１及び図２の構造と同じであり、第１の実施の形態と同じ部品には同じ符号を付してある。
【００３１】
［第５の実施の形態の変形例］
図１１は第５の実施の形態であり、左右の柱１間に、上下一対の窓枠３１を設けてある構造枠体に適用した例である。
【００３２】
図１１において、一対の窓枠３１は、上下の横桟木８，９間の途中部分に、上下に間隔をおいて配置されると共に、左右の柱１間に架設されている。
【００３３】
左右の柱１と、胴差し４と、上側の窓枠３１と、で囲まれた長方形状の上側領域Ｓ２内には、該領域Ｓ２と同一形状の上側のパネル１０Ａが嵌め込まれ、左右の柱１と、土台３と、下側の窓枠３１と、で囲まれた長方形状の上側領域Ｓ３内には、該領域Ｓ３と同一形状の下側のパネル１０Ｂが嵌め込まれている。
【００３４】
上側領域Ｓ２の周囲には、左右一対の上側縦桟木７ａと、上下一対の横桟木８，３２とが配置されており、上側領域Ｓ２の左右幅の中央部には上側中間縦桟木１７ａが配置されている。上側中間縦桟木７ａは柱１の内面１ａに釘１５（図２参照）により固着され、上側の横桟木８は前述のように胴差し４の下面に釘により固着され、下側の横桟木３２は、上側窓枠３１の上面に釘により固着されている。そして、上記左右一対の縦桟木７ａと、上下一対の横桟木８，３２の前後面に、上側のパネル１０Ａの外周端部が複数の釘１１により固着されている。中間縦桟木１７ａは上側パネル１０Ａに釘１１により固着されている。
【００３５】
下側領域Ｓ３の周囲には、左右一対の下側縦桟木７ｂと、上下一対の横桟木３２，９がそれぞれ配置され、下側領域Ｓ３の左右幅の中央部には下側中間縦桟木１７ｂが配置されている。下側縦桟木７ｂは左右の柱１の内面１ａに釘１５（図２参照）により固着され、上側の横桟木３２は下側窓枠３１の下面に釘により固着され、下側の横桟木９は、土台３の上面に釘により固着されている。そして、上記左右一対の下側縦桟木７ｂと、上下一対の横桟木３２，９の前後面に、下側のパネル１０Ｂの外周端部が複数の釘１１により固着されている。下側中間縦桟木１７ｂは下側パネル１０Ｂに釘１１により固着されている。
【００３６】
補強ボルト２０は、上側領域Ｓ２と下側領域Ｓ３にそれぞれ配置されている。上側領域Ｓ２の補強ボルト２０は、上側領域Ｓ２の下端部に配置された中間横桟木３２の上面に沿って略水平に配置され、補強ボルト２０の先端部にはナット２１が螺着されている。下側領域Ｓ３の補強ボルト２０は、下側領域Ｓ３の上端部に配置された中間横桟木３２の下面に沿って略水平に配置され、補強ボルト２０の先端部にはナット２１が螺着されている。
【００３７】
上記各補強ボルト２０は、ボルト頭部２０ａとナット２１により、両柱１を互いに近づける方向Ｈに引っ張り、各柱１の内面１ａを各パネル１０Ａ，１０ｂの側端縁に押し付けている。
【００３８】
上記構成によると、窓を有する構造枠体であっても、通しの補強ボルト２０を取り付けるだけの簡単な工事により、耐震強度を向上させることができる。また、桟７，８，９、パネル１０、補強ボルト２０及び釘１１は、前記図２の場合と同様に、化粧板により外部から隠すことができ、外観も向上する。
【００３９】
［第６の実施の形態］
図１２は第６の実施の形態であり、前記第５の実施の形態（図１１）と同様に上下一対の窓枠３１を備えた構造において、各窓枠３１，３１に固着された横桟木３２に沿って、補強ボルト２０をそれぞれ柱１間に架設した構造である。図１１の構造との相違は、中間縦桟木１７ａ，１７ｂは備えていないことである。その他の構造は、図１１の第５の実施の形態と同じであり、同じ部品には同じ符号を付してある。
【００４０】
［第７の実施の形態］
図１３は第７の実施の形態であり、前記第５の実施の形態（図１１）と同様に上下一対の窓枠３１を備えた構造において、通しの補強ボルトの代わりに、上下の窓枠３１に固着された横桟木３２の左右端部を、羽子板ボルト５０により柱１及び縦桟木７ａ，７ｂに締結した構造である。すなわち、窓枠３１の横桟木３２と、両端の羽子板ボルト５０とにより、両柱１を互いに近づける方向Ｈに引っ張り、柱１の内面１ａを各パネル１０Ａ、１０Ｂの側端縁に押し付けている。その他の構造は図１１と同様であり、同じ部品には図１１と同じ符号を付してある。
【００４１】
図１４は、図１３のXIV-XIV断面図であり、羽子板ボルト５０は、ボルト軸部５０ａと、該ボルト軸５０ａに連結された取付板部５０ｂとを備えており、取付板５０ｂを別のボルト５３により横桟木３２の後面に締結し、ボルト軸部５０ａを縦桟木７ａ（７ｂ）及び柱１のボルト挿通孔５６，５４に通し、ナット５５により締着した構造となっている。
【００４２】
上記構成によると、横桟木３２を補強ボルトの中間部として利用していることになるので、長い通しの補強ボルトを利用しなくとも、短い一対の羽子板ボルト５０により、補強することができ、取付作業が楽になる。
【００４３】
［第８の実施の形態］
図１５は第８の実施の形態であり、補強用のパネル１０を嵌め込む領域Ｓ４が、左右一対の柱１と、土台３より上方に配置された敷居（又は床梁）４１と、天井梁４より下方に配置された鴨居４０とで構成されている構造である。各柱１の対向する内面１ａに、それぞれ各柱１に沿って上下方向に延びる縦桟木７、７が釘により固着され、鴨居４０の下面及び敷居４１の上面に、それぞれ水平な横桟木４２，４３が釘により固着され、それら縦桟木７と横桟木４２，４３の前後面に、領域Ｓ４と同一形状に形成されたパネル１０が複数の釘１１により固着されている。さらに、領域Ｓ４の左右幅の中間部には中間縦桟木１７が配置され、領域Ｓ３の上下幅の中間部には中間横桟木１８が配置され、両中間の桟木１７，１８はパネル１０に釘１１により固着されている。
【００４４】
水平な通しの補強ボルト２０は、前記中間の横桟木１８の上面に沿って一本配置されている。通しボルト２０の取付構造は、前記第１の実施の形態と同様であり、ボルト２０の頭部とナット２１とにより、両柱１を互いに近づけるように引っ張っている。
【００４５】
上記構成によると、新築の木造建築物だけでなく、既存の木造建築物に対しても、天井や床を剥がすことなく、縦桟７、横桟４２，４３及びパネル１０並びに通しの補強ボルト２０等を簡単に取り付けることができる。
【００４６】
［第９の実施の形態］
図１６は第９の実施の形態であり、前記第８の実施の形態（図１５）と同様な敷居（又は床梁）４１と、天井梁４より下方に配置された鴨居４０とを備えた構造において、通しの補強ボルトの代わりに、前記図１４で説明した羽子板ボルト５０により、中間の横桟木１８の左右両端部を左右の柱１にそれぞれ連結している。その他の構造は、第８の実施の形態（図１５）と同様であり、同じ部品には同じ符号を付している。
【００４７】
［第１０の実施の形態］
図１７は第１０の実施の形態であり、前記第９の実施の形態（図１６）の構造に加え、領域Ｓ４の上下の各横桟木４２，４３も、羽子板ボルト５０により、それぞれ柱１に連結した構造である。その他の構造は、第９の実施の形態（図１６）と同様であり、同じ部品には同じ符号を付している。
【００４８】
［第１１の実施の形態］
図１８は第１１の実施の形態であり、第５の実施の形態（図１１）と第８の実施の形態（図１５）とを、組み合わせた構造である。すなわち、第５の実施の形態（図１１）と同様な一対の窓枠３１を備えると共に、第８の実施の形態（図１５）と同様な敷居（又は床梁）４１と、天井梁４より下方に配置された鴨居４０とを備えた構造において、上側の領域Ｓ５に、上側パネル１０Ａ及び上側の補強ボルト２０を配置し、下側領域Ｓ６に、下側パネル１０Ｂ及び下側の補強ボルト２０を配置した構造である。上側領域Ｓ５の補強ボルト２０は、上側領域Ｓ５の下端部に配置された中間横桟木３２の上面に沿って略水平に配置され、補強ボルト２０の先端部にはナット２１が螺着されている。下側領域Ｓ６の補強ボルト２０は、下側領域Ｓ６の上端部に配置された中間横桟木３２の下面に沿って略水平に配置され、補強ボルト２０の先端部にはナット２１が螺着されている。その他の構造は、第５の及び第８の実施の形態と同様であり、同じ部品には同じ符号を付している。
【００４９】
［第１２の実施の形態］
図１９は第１２の実施の形態であり、前記第１１の実施の形態（図１８）の構造に加え、通しの補強ボルト２０を上側領域Ｓ５の上端の横桟木４２の下面と、下側領域Ｓ６の下端の横桟木４３に沿っても配置した構造である。その他の構造は、第１１の実施の形態と同様であり、同じ部品には同じ符号を付している。
【００５０】
［第１３の実施の形態］
図２０は第１３の実施の形態であり、前記第１１の実施の形態（図１８）と同様、窓枠３１を備えると共に、敷居（又は床梁）４１と、天井梁４より下方に配置された鴨居４０とを備えた構造において、通しのボルトの代わりに、上側領域Ｓ５の窓枠３１に固着された横桟木３２の左右両端部と、下側領域Ｓ６の窓枠３１に固着された横桟木３２の左右両端部とを、それぞれ羽子板ボルト５０により連結した構造である。その他の構造は、第１１の実施の形態と同様であり、同じ部品には同じ符号を付している。
【００５１】
［第１４の実施の形態］
図２１は第１４の実施の形態であり、前記第１３の実施の形態（図２０）の構造に加え、羽子板ボルト５０を、上側領域Ｓ５の上端の横桟木４２の左右端部と、下側領域Ｓ６の下端の横桟木４３の左右端部とにも配置した例である。その他の構造は、第１３の実施の形態と同様であり、同じ部品には同じ符号を付している。
【００５２】
［その他の実施の形態］
（１）前記各実施の形態では、通しのボルト２０を１本又は２本備えているが、３本以上備える構造とすることも可能である。
【００５３】
（２）パネル１０，１０Ａ，１０Ｂは、木製には限定されず、樹脂製でも可能である。
【００５４】
（３）パネル１０，１０Ａ，１０Ｂの配置は、前記いずれの実施の形態においても、縦桟木７等の前後両面に配置する構造と、縦桟木７等の前面のみに配置する構造と、縦桟木７等の後面のみに配置する構造と、を選択的に採用することができる。
【００５５】
（４）本発明は、中間の縦桟木１７や中間の横桟木１８を全く備えていない構造にも適用可能である。
【図面の簡単な説明】
【００５６】
【図１】本発明にかかる耐震補強構造を備えた木造建築物の構造枠体の第１の実施の形態の正面図である。
【図２】図１のII-II断面図である。
【図３】本発明の第１の実施の形態の変形例であり、図２と同じ部分に断面図である。
【図４】本発明の第１の実施の形態の別の変形例であり、図２と同じ部分の断面図である。
【図５】本発明の第１の実施の形態のさらに別の変形例であり、図２と同じ部分の断面図である。
【図６】本発明にかかる耐震補強構造を備えた木造建築物の構造枠体の第２の実施の形態の正面図である。
【図７】図６のVII-VII断面図である。
【図８】本発明の第２の実施の形態の変形例であり、図７と同じ部分の断面図である。
【図９】本発明にかかる耐震補強構造を備えた木造建築物の構造枠体の第３の実施の形態の正面図である。
【図１０】本発明にかかる耐震補強構造を備えた木造建築物の構造枠体の第４の実施の形態の正面図である。
【図１１】本発明にかかる耐震補強構造を備えた木造建築物の構造枠体の第５の実施の形態の正面図である。
【図１２】本発明にかかる耐震補強構造を備えた木造建築物の構造枠体の第６の実施の形態の正面図である。
【図１３】本発明にかかる耐震補強構造を備えた木造建築物の構造枠体の第７の実施の形態の正面図である。
【図１４】図１３のXIV-XIV断面拡大図である。
【図１５】本発明にかかる耐震補強構造を備えた木造建築物の構造枠体の第８の実施の形態の正面図である。
【図１６】本発明にかかる耐震補強構造を備えた木造建築物の構造枠体の第９の実施の形態の正面図である。
【図１７】本発明にかかる耐震補強構造を備えた木造建築物の構造枠体の第１０の実施の形態の正面図である。
【図１８】本発明にかかる耐震補強構造を備えた木造建築物の構造枠体の第１１の実施の形態の正面図である。
【図１９】本発明にかかる耐震補強構造を備えた木造建築物の構造枠体の第１２の実施の形態の正面図である。
【図２０】本発明にかかる耐震補強構造を備えた木造建築物の構造枠体の第１３の実施の形態の正面図である。
【図２１】本発明にかかる耐震補強構造を備えた木造建築物の構造枠体の第１４の実施の形態の正面図である。
【図２２】従来例２の水平断面図である。
【図２３】従来例３の水平断面図である。
【符号の説明】
【００５７】
１  柱
１ａ  内面
３  土台（横架材の一例）
４  胴差し又は天井梁（横架材の一例）
７．７ａ、７ｂ  縦桟木
８，９，３２，４２，４３  横桟木
１０  補強用のパネル
１１  釘
２０  通しの補強ボルト
２１  ナット
３１  窓枠
４０  鴨居（横架材の一例）
４１  敷居（横架材の一例）
５０  羽子板ボルト
【図１】
2008075375.tif 000003
【図２】
2008075375.tif 000004
【図３】
2008075375.tif 000005
【図４】
2008075375.tif 000006
【図５】
2008075375.tif 000007
【図６】
2008075375.tif 000008
【図７】
2008075375.tif 000009
【図８】
2008075375.tif 000010
【図９】
2008075375.tif 000011
【図１０】
2008075375.tif 000012
【図１１】
2008075375.tif 000013
【図１２】
2008075375.tif 000014
【図１３】
2008075375.tif 000015
【図１４】
2008075375.tif 000016
【図１５】
2008075375.tif 000017
【図１６】
2008075375.tif 000018
【図１７】
2008075375.tif 000019
【図１８】
2008075375.tif 000020
【図１９】
2008075375.tif 000021
【図２０】
2008075375.tif 000022
【図２１】
2008075375.tif 000023
【図２２】
2008075375.tif 000024
【図２３】
2008075375.tif 000025